(57)【要約】【目的】種々の電子機器類に接続して駆動することのできる着脱、可搬タイプにして盗難防止効果と携帯性に優れた利便性の高い表示パネルを提供する。【構成】表示面１１Ａを形成するフラット状の画像表示素子１１を、外枠１２の窓部１２Ａから表示面１１Ａが露出する状態に取り付けた表示パネルである。表示面１１Ａと交差する方向の外枠１２の一端面は操作スイッチ類を備えた操作部１Ａとされ、操作部１Ａに対向する他端側は外部の出力端子に接続してビジュアル信号を取得するための入力端子１８を備えた結合部１Ｂとされる。結合部１Ｂには操作部１Ａ側に向かって、掛爪２６を配したロック孔２０と位置決め用のピン挿入孔１９とが形成される。外枠１２の内部には、掛爪２６を拘束するトリガーレバー２５と、該トリガーレバーによる掛爪２６の拘束を保持するためのスライド板２３とを含むロック機構２２が設けられる。【選択図】図３
2005195985.tif 000002
【特許請求の範囲】
【請求項１】
表示面を形成するフラット状の画像表示素子を外枠の窓部から前記表示面が露出する状態に取り付けた表示パネルにおいて、前記表示面と交差する方向の外枠の一端面が操作スイッチ類を備えた操作部とされると共に、その操作部に対向する他端側が外部の出力端子に接続してビジュアル信号を取得するための入力端子を備えた結合部とされ、その結合部には前記操作部側に向かって、掛爪を配したロック孔と位置決め用のピン挿入孔とが所定の間隔をあけて形成され、前記外枠の内部には前記掛爪を拘束するトリガーレバーと該トリガーレバーによる前記掛爪の拘束を保持するためのスライド板とを含むロック機構が設けられることを特徴とする表示パネル。
【請求項２】
結合部にはスライド板を外部から操作するためのロック操作孔が設けられる請求項１記載の表示パネル。
【請求項３】
結合部は、表示面の露出側と対向する外枠の背面をその一端縁から内方に入り込ませた断面凹状の受口を形成する請求項１、又は２記載の表示パネル。
【発明の詳細な説明】
【技術分野】
【０００１】
本発明は、ビデオやテレビのディスプレイとして用いられる表示パネルに係わり、特に様々な機器に接続して駆動することのできる利便性の高い携帯可能な表示パネルに関するものである。
【背景技術】
【０００２】
近年、自動車による移動に際して目的地までの経路などを表示パネルに表示することのできるカーナビゲーションシステムの普及が顕著であるが、係る表示パネルをテレビモニタやビデオモニタとして兼用することも一般に広く行われている。
【０００３】
その種の表示パネルとして、ＤＶＤなどを駆動するディスクドライブやテレビチューナなどを内蔵した機器本体と一体化した可搬タイプのものがあり、これを車内のダッシュボード上などに配置することが行われている（例えば、特許文献１）。
【０００４】
又、車室内に起立姿勢で開放される表示パネル（モニタユニット）をＣＤユニットと一体型の操作表示ユニットにして、これをダッシュボード内に設けられる収納ユニットに対して着脱自在としたものも知られる（例えば、特許文献２）。
【０００５】
【特許文献１】特開平０８−２９２７２４号公報
【０００６】
【特許文献２】特開平１０−３２９６１６号公報
【発明の開示】
【発明が解決しようとする課題】
【０００７】
然し乍ら、特許文献１に示されるような車載モニターは、ダッシュボード上に設けられるモニター取付装置に固定されるため、設置に際して車内の美観を損なうという問題がある。特に、係る車載モニターは不使用時に取付装置から取り外して盗難を防止できるという利点を有するものの、その着脱操作は煩わしく、しかもモニター固定用のハンドルが剥き出しの状態であるため、モニターの取り外しを忘れた場合には盗まれる危険性が高い。
【０００８】
この点、特許文献２の操作表示ユニットも同様で、操作表示ユニットそれ自体にロック機能はなく、係るユニットは取付側に設けられる剥き出し状態のロックアームで固定されるだけなので盗難の危険性が高い。尚、係る操作表示ユニットには取付側のレセプタクルに接続するプラグが設けられるが、その両者が不適切に接続される虞れがある。
【０００９】
又、特許文献１、２に開示されるような従来のモニター類は、ＣＤなどのディスクを駆動するディスクドライブやテレビチューナを内蔵した機器本体と一体化したものが一般的で、重量が大きく厚いため携帯性に劣るという問題がある。
【００１０】
本発明は以上のような事情に鑑みて成されたものであり、その目的は種々の電子機器類に接続して駆動することのできる着脱、可搬タイプにして盗難防止効果と携帯性に優れた利便性の高い表示パネルを提供することにある。
【課題を解決するための手段】
【００１１】
本発明は上記の目的を達成するため、表示面を形成するフラット状の画像表示素子を外枠の窓部から前記表示面が露出する状態に取り付けた表示パネルにおいて、前記表示面と交差する方向の外枠の一端面が操作スイッチ類を備えた操作部とされると共に、その操作部に対向する他端側が外部の出力端子に接続してビジュアル信号を取得するための入力端子を備えた結合部とされ、その結合部には前記操作部側に向かって、掛爪を配したロック孔と位置決め用のピン挿入孔とが夫れ夫れ所定の間隔をあけて２つずつ形成され、前記外枠の内部には前記掛爪を拘束するトリガーレバーと該トリガーレバーによる前記掛爪の拘束を保持するためのスライド板とを含むロック機構が設けられることを特徴とする。
【００１２】
又、上記のような表示パネルにおいて、結合部にはスライド板を外部から操作するためのロック操作孔が設けられることを特徴とする。
【００１３】
更に、結合部は、表示面の露出側と対向する外枠の背面をその一端縁から内方に入り込ませた断面凹状の受口を形成することを特徴とする。
【発明の効果】
【００１４】
本発明に係る表示パネルによれば、表示面と交差する方向の一端面が操作部とされることから、使用に際して操作スイッチ類が表示面側に現れず美的効果があり、その操作部を操作者側に向かって倒伏したときには必要な操作を行うことができる。
【００１５】
又、ロック機構を内蔵することから、連結相手の機器にロックして脱落防止や盗難を防止する効果を得られ、しかも係るロック操作とその解除操作をロック操作孔を利用して外部から行うことができ、そのロック操作孔が結合部に設けられることから、結合状態においてロック操作孔が外部に現れず、盗難防止効果が上がる。
【００１６】
更に、外部からビジュアル信号を取得する入力端子を備えることから、ディスクドライブなどの駆動機と一体化せずして薄型にできるので持ち運びが容易であり、しかも入力端子などを備える結合部は外枠の背面に凹状の受口を形成するので、入力端子やこれに接続する外部の出力端子などを隠蔽して使用時の見栄えを損なわない。
【発明を実施するための最良の形態】
【００１７】
以下、本発明を図面に基づいて詳しく説明する。図１は係る表示パネルの使用態様を示した概略図であり、(Ａ)は表示パネルの格納状態、(Ｂ)は表示パネルの開放状態を示す。
【００１８】
図１において、１は本発明に係る表示パネル（パネル状のディスプレイ装置）、２はその表示パネルを駆動する機器本体（本例においてＤＶＤなどのディスクを駆動するディスク再生装置）、３は表示パネルや機器本体を収容する筺体であり、その筺体３内には表示パネル１の排出／挿入を行うための走行ユニット４が前後方向（図１の左右方向）に往復移動可能に設けられる。特に、走行ユニット４は、ユニット台５の一端部に表示パネル１を連結するためのパネル連結部６を回動可能に設けて構成され、そのパネル連結部６はフレキシブル配線７を介して機器本体２と接続される。
【００１９】
そして、機器本体２内で再生駆動されるディスクの記録情報（地図や映像などのビジュアル信号）がフレキシブル配線７からパネル連結部６を通じて表示パネル１に入力され、これにより表示パネルの表示面１１Ａに映像表示が行われる。
【００２０】
尚、筺体３は表示パネル１を出し入れするための開口部３Ａを有し、その開口部３Ａを車室内に向けて車両のダッシュボード８内に固定されると共に、表示パネル１は図１(Ａ)のようにその表示面１１Ａを下向きにした倒伏状態で筺体３の内部に収容される。この状態で、表示面１１Ａに交差する方向の表示パネルの一端面は開口部３Ａから露出されるが、その一端面は操作スイッチ類をもつ操作部１Ａとされ、その操作により表示パネル１を開口部３Ａから筺体３の外部に排出したり、これを筺体３内に引き込んで収容することができるようになっている。このような操作は、操作部１Ａのほか、機器本体の操作部２Ａで行うようにしてもよい。
【００２１】
特に、操作部１Ａでは図１(Ｂ)の想像線で示されるよう表示パネル１が倒伏姿勢のまま排出するだけの場合と、図１(Ｂ)の実線で示されるよう表示パネル１が倒伏状態から起立姿勢に立ち上がって開放する場合とを選択できるようになっており、倒伏姿勢に排出された表示パネル１はパネル連結部６からの離脱が許容され、起立姿勢の表示パネル１はその表示面１１Ａが車室内側（筺体３に対する表示パネル１の排出側）に向いて係る表示面１１Ａを運転席等から視認可能とされる。
【００２２】
尚、表示パネル１をパネル連結部６から離脱可能とする位置は、図１(Ｂ)のように、表示パネル１の全体がダッシュボードの外側に排出された位置に限らず、倒伏姿勢における表示パネル１の端部からダッシュボード８までの距離が表示パネル１を手で掴めるだけの距離ＨＳになる位置を離脱可能位置としてもよい（図１(Ｃ)参照）。例えば、距離ＨＳを５０ｍｍと設定することができる。表示パネル１を離脱する場合は、図１(Ｃ)の状態から離脱ボタンを押し、表示パネル１のロックを解除してから取り外す。このロック機構の詳細については後述する。
【００２３】
又、表示パネル１が起立姿勢に開放された状態では、パネル連結部６からの表示パネル１の離脱が阻止されると共に、表示パネル１のアングル（回動角）を水平面に対する任意の角度範囲で調整可能とされる。この角度は例えば６０〜１０５度とする。尚、倒伏姿勢での表示パネル１の排出／挿入動作は筺体３内における走行ユニット４の往復移動により行われるが、筺体３内の両側には表示パネル１の挿入方向及び排出方向に沿って走行ユニット４の移動案内を行う後述のガイド部が設けられる。
【００２４】
図２は表示パネルの表示面側を主として示す斜視図、図３はその背面側を示す斜視図であり、図４には表示パネルの一端面を示す。先ず、図２において、表示パネル１は表示面１１Ａを形成する液晶や有機ＥＬといったフラット状の画像表示素子１１と、窓部１２Ａを形成する外枠１２とを有し、その外枠１２内に画像表示素子１１が表示面１１Ａを窓部１２Ａから露出させた状態に取り付けられるようになっている。
【００２５】
一端操作部１Ａには主電源スイッチ１３Ａ、開閉操作用の操作スイッチ１３Ｂ、開放時のアングル調整を行うための操作スイッチ１３Ｃ，１３Ｄ、排出挿入操作用の操作スイッチ１３Ｅ、及び画面表示サイズ切換スイッチ１３Ｆが設けられる。又、操作部１Ａに直交する両側面にはその長さ方向に沿ってガイド溝１６が形成される。
【００２６】
図３において、操作部１Ａに対向する外枠１２の他端側（使用状態における表示パネル１の下端）は上記のようなパネル連結部に連結することのできる結合部１Ｂとされ、この結合部１Ｂは表示面１１Ａの露出側と対向する外枠１２の背面をその一端縁から内方に入り込ませた断面凹状の受口１７を形成し、その受口１７内に図３及び図４に示されるよう外部からビジュアル信号を受け取るための入力端子１８ほか、操作部１Ａ側に向かって位置決め用のピン挿入孔１９、ロック孔２０、及びロック操作孔２１を設けて構成される。
【００２７】
尚、ピン挿入孔１９とロック孔２０は表示パネル１の幅方向に所定の間隔をあけて２つずつ形成されると共に、ピン挿入孔１９は後述する相手側のガイドピンを受け入れて入力端子１８と外部出力端子との接続を確実に行う位置決めの役割を果たす。又、入力端子１８からはオーディオ信号を取得することもでき、この場合には表示パネル１にスピーカを設けるか、又は音声出力端子を設けて該音声出力端子にヘッドホーンを接続して音声を聴取できる。
【００２８】
図５は係る表示パネルの内部構造を示す。この図で明らかなように、表示パネル１の外枠１２内には結合部１Ｂ側においてロック機構２２が内蔵される。係るロック機構２２は、図４のロック操作孔２１に対応して、傾斜状のロック操作面２３Ａを形成するスライド板２３を有する。そのスライド板２３は表示パネル１の幅方向に摺動可能にして配され、その一端に接続するコイルバネ２４により非ロック側となる一方向（図５において右方向）に付勢されている。
【００２９】
図６は係るロック機構を示す拡大平面図であり、図７にはスライド板を取り外した状態を示す。図６から明らかなように、スライド板２３には可動用の長孔２３Ｂと下向き（紙面の奥側方向）に突出するピン２３Ｃとが設けられる。一方、図７から明らかなように、このロック機構２２には、スライド板のピン２３Ｃに対応するトリガーレバー２５が回転自在に取り付けられ、その近傍には板バネから成る掛爪２６が設けられる。トリガーレバー２５の回転軸には捩りバネ２７が取り付けられ、これにより非ロック時にはトリガーレバー２５が図７の時計方向に付勢されている。そして、係るトリガーレバー２５がスライド板のピン２３Ｃの摺動による押圧で捩りバネ２７の弾力に抗して図７の反時計方向に回転されたとき（ロック時）、その先端部が掛爪２６に接触して該掛爪を拘束するようにしてある。
【００３０】
掛爪２６はその一端部を折り曲げて成るロック用の凸部２６Ａを有し、その凸部２６Ａを形成する一端側が自由端としてロック孔２０内に配される。而して、ロック孔２０にパネル連結部の部位を差し込むことにより、この部位に掛爪の凸部２６Ａが係合し、その状態でトリガーレバー２５を掛爪２６に接触せしめて掛爪２６を拘束固定すると、パネル連結部からの表示パネルの離脱が阻止され、またトリガーレバー２５を掛爪２６から離間せしめて掛爪２６を解放したときには、掛爪２６の撓み変形が許容されてパネル連結部６から表示パネルを離脱させることができる。
【００３１】
次に、筺体の構造を説明する。図８は筺体の正面概略図であり、図９及び図１０にはそれぞれ図８におけるＸ−Ｘ断面、Ｙ−Ｙ断面を示す。これらの図で明らかなように、筺体３の内部両側には走行ユニット４の移動案内を行う上記のガイド部３１（溝形のレール），３２（Ｌ形のガイドレール）が設けられる。又、筺体３の内部天井面には走行ユニットがガイド部３１，３２に沿って往復移動するためのラック３３が設けられると共に、ガイド部３２の近傍にはこれに沿って表示パネル１を案内するパネルガイド３４が突出して設けられ、そのパネルガイド３４に図２〜図４に示した表示パネルのガイド溝１６が摺動自在にして嵌合するようにしてある。更に、図１０から明らかなように、ガイド部３２の一端は筺体３の開口部３Ａから張り出しており、これによりパネル連結部６を開口部３Ａから排出したときでも所定の排出量において走行ユニットのユニット台５をガイド部３２で支持できるようになっている。
【００３２】
次に、本発明に係る表示パネルの結合相手と成り得る機器の一例として、上記走行ユニットの構造を説明する。図１１は走行ユニットの表側を示す平面図、図１２はその裏側を示す斜視図、図１３はパネル連結部を取り外した走行ユニットの表側を示す斜視図である。図１１及び図１２から明らかなように、走行ユニット４は上記のユニット台５とこれに取り付けられるパネル連結部６から構成される。
【００３３】
このうち、パネル連結部６には、表示パネル１の入力端子１８に結合する出力端子６１、ピン挿入孔１９に挿入する左右一対のガイドピン６２、ロック孔２０に挿入する左右一対の掛金６３、及びロック操作孔２１に挿入するロックアーム６４Ａを備えた施錠具６４が設けられる。尚、出力端子６１には図１に示したフレキシブル配線７が接続される。又、掛金６３には孔６３Ａが形成され、その孔６３Ａが図７に示した掛爪の凸部２６Ａと係合するようにしてある。
【００３４】
一方、ユニット台５には、図８に示した筺体のガイド部３１，３２に係合するガイド受５１，５２と左右一対のブラケット５３が形成される。そして、パネル連結部６はその両側に突出する回動支点軸６５がブラケット５３により回転自在に支持され、その回動支点軸６５上に上記の施錠具６４ほか後述する欠歯ギアが設けられる。
【００３５】
又、図１３に示すように、走行ユニット（特にそのユニット台５）には筺体内に設けられる上記のガイド部３１，３２に沿って往復移動を行うための走行機構７０と、パネル連結部に連結された表示パネルを旋回させるためのパネル旋回機構８０とが設けられる。
【００３６】
図１３及び図１４に示すように、走行機構７０は走行用駆動源７１、その駆動軸に取り付けられるウォーム７２、該ウォームと噛み合うウォームホイール７３、該ウォームホイールと一体のウォーム部７３Ａと噛み合うヘリカルギア７４、該ヘリカルギアと一体の出力ギア部７４Ａと噛み合うギア７５、及び回転軸７６の両側にあって一方がギア７５と噛み合うピニオン７７から構成され、そのピニオン７７が図８などに示した筺体内のラック３３と噛み合うようにしてある。このうち、ギア部７４Ａには回転量検出ギア７８が噛み合わされ、係るギア７８の回転量がセンサ７９により検知され、この回転量を基に駆動源７１の停止制御を行う構成とされる。
【００３７】
一方、パネル旋回機構８０は、図１３及び図１５に示すように旋回用駆動源８１、その駆動軸に取り付けられるウォーム８２、該ウォームと噛み合うウォームホイール８３、該ウォームホイールと一体のギア部８３Ａと噛み合うギア８４、該ギアと一体のウォーム部８４Ａと噛み合うヘリカルギア８５、該ヘリカルギアと一体のギア部８５Ａと噛み合うギア８６、該ギアの小径ギア部８６Ａと噛み合う伝動ギア８７、及び該伝動ギアと噛み合う上記の欠歯ギア８８で構成され、その欠歯ギア８８が回動支点軸６５を支点としてパネル連結部６に固定されると共に、その他の歯車列８２〜８７はユニット台５に配される。
【００３８】
このうち、ギア８６には回転量検出ギア８９が噛み合わされ、その回転量（すなわちパネル旋回機構の動作量）がセンサＳにより検知されるようになっている。そして、係るセンサＳの検出信号に基づいて駆動源８１の駆動制御が行われ、これによりパネル連結部６の回動量（表示パネルの旋回量）と、上記施錠具６４の後述するリリース位置及びロック位置の切替動作とが制御されるようにしてある。
【００３９】
図１６は施錠具の斜視図、図１７は欠歯ギアの斜視図であり、図１８には施錠具と欠歯ギアの組付状態を示す。図１６のように、施錠具６４は上記のロックアーム６４Ａほか、上記回動支点軸６５を挿入する取付用孔６４Ｂを中心として円弧状のギア部６４Ｃを有する。又、ロックアーム６４Ａは取付用孔６４Ｂの半径方向に突出すると共に、施錠具６４の片側面には突起６４Ｄが設けられ、その逆側面にはバネ止め６４Ｅが突設される。
【００４０】
一方、図１７のように、欠歯ギア８８も上記の回動支点軸６５を挿入する取付用孔８８Ａを中心として円弧状のギア部８８Ｂを形成する。又、欠歯ギア８８の片側面にはバネ止め８８Ｃと取付用孔８８Ａを中心とする円弧溝８８Ｄが形成され、その円弧溝８８Ｄに施錠具の突起６４Ｄが嵌め込まれるようにしてある。
【００４１】
そして、係る施錠具６４と欠歯ギア８８は、図１８のように同軸（パネル連結部の回動支点軸６５）上に隣り合わせに配置される。このうち、欠歯ギア８８はパネル連結部６の側面に固定され、係るパネル連結部６は回動支点軸６５上にあって一端が欠歯ギアのバネ止め８８Ｃに係止される捩りバネＳＰ１により、図１８の反時計方向（表示パネルの倒伏方向）に付勢される。一方、施錠具６４は回動支点軸６５に設けられる捩りバネＳＰ２により欠歯ギア８８とは逆向きの図１８に示す時計方向に付勢され、欠歯ギア８８との相対位置が実線で表されるロック位置に保たれるようになっている。尚、捩りバネＳＰ２はその一端が施錠具のバネ止め６４Ｅに係止され、他端が欠歯ギアに設けた穴８８Ｅに係止される。
【００４２】
ここに、表示パネルの開放動作前では、欠歯ギアのギア部８８Ｂに近接して施錠具のギア部６４Ｃと伝動ギア８７が噛み合い、この状態で駆動源８１（図１３参照）を駆動して伝動ギア８７を図１８の反時計方向に回転させると、施錠具６４が時計方向に回転し、その直後に施錠具の突起６４Ｄが欠歯ギアの円弧溝８８Ｄの一端を加圧することにより伝動ギア８７との噛み合いが施錠具６４から欠歯ギア８８に切り替わる。このとき、捩りバネＳＰ２の作用で施錠具６４がパネル連結部６に対してロック位置に保たれたまま、欠歯ギア８８が時計方向に回転される。このため、欠歯ギア８８と一体のパネル連結部６も同方向に回動し、これによりパネル連結部６に結合する表示パネルも回動支点軸６５を中心にして図１８の時計方向に旋回してその開放動作が行われるようになる。
【００４３】
一方、上記のような表示パネルの開放動作とは逆向きに駆動源８１（図１３参照）を駆動して伝動ギア８７を図１８の時計方向に回転させると、伝動ギア８７と欠歯ギア８８が切り離された状態で、伝動ギア８７からこれと噛み合うギア部６４Ｃをもつ施錠具６４に動力伝達が行われる。このとき、欠歯ギア８８と一体のパネル連結部６は図示せぬストッパにより不作動状態に保たれ、施錠具６４（特にそのロックアーム６４Ａ）のみが実線で表されるロック位置から想像線で表されるリリース位置に回動される。
【００４４】
尚、施錠具６４のロックアーム６４Ａは上記のように表示パネルのロック操作孔２１に挿入され、図１８の実線で表されるロック位置では係るロックアーム６４Ａが図５に示したスライド板のロック操作面２３Ａを押圧し、スライド板２３をコイルバネ２４の弾力に抗してロック側（図５の左方向）に摺動させるようになっている。このため、表示パネルの掛爪２６とパネル連結部の掛金６３とを係合状態に保ってパネル連結部６からの表示パネル１の離脱を阻止することができる。
【００４５】
又、施錠具６４が図１８の想像線で表されるリリース位置にあるとき、そのロックアーム６４Ａは図５に示したスライド板のロック操作面２３Ａから離間するのであり、このためスライド板２３がコイルバネ２４の作用で非ロック側（図５の右方向）に復帰されてパネル連結部６からの表示パネル１の離脱が許容される。
【００４６】
上記の記載から明らかなように、パネル連結部６の回動による表示パネルの開閉動作時には施錠具６４がロック位置にあって表示パネルの離脱が阻止される一方、表示パネルの開放動作前には施錠具６４のロック位置からリリース位置への切り替えが可能とされるが、施錠具６４のリリース位置への切替動作は表示パネル１の筺体３からの排出動作が完了した時点で行われるように制限することが好ましく、これにより走行ユニット４の往復移動時に表示パネル１が不用意に離脱する危険性を防止することができる。
【００４７】
更に、表示パネル１の排出動作が完了してから一定時間経過後も表示パネル１がパネル連結部６から抜き取られなかった場合、施錠具６４をロック位置に戻して表示パネル１の筺体３内への引き込み挿入が行われるようにする事が好ましく、これによれば車両の走行振動などによる表示パネル１の脱落、並びに表示パネル１を抜き忘れたまま車両から離れた場合の盗難を防止する効果がある。
【００４８】
ここで、本発明に係る表示パネル１は、以上のようなパネル連結部６に連結して駆動可能とされることに限らず、図１９に例示するようなパネル装着台９０に装着して駆動することもできる。係るパネル装着台９０は車載用電子機器の機器本体２に信号線１００で繋がれるベース台９１と、このベース台を車室内の部位に固定するための取付具９２から構成される。本例において、取付具９２を前部座席を構成するヘッドレストＨｒの支柱に取り付け得るアーム部９２Ａと、ベース台を載せる着座部９２Ｂとで形成し、その着座部９２Ｂに載せられたベース台９１を締付ネジ９３にて固定できるようにしてある。
【００４９】
一方、図１９及び図２０から明らかなように、ベース台９１はその上部に表示パネル１の下端部（結合部）を嵌め込む差込口９１Ａを形成する。そして、その差込口９１Ａに嵌め込まれた表示パネル１は図２１に示すよう表示面１１Ａを露出した状態で起立姿勢に固定されるようになっている。
【００５０】
図２２はベース台の内部構造を示す透視図である。この図で明らかなように、差込口９１Ａ内には上記のパネル連結部６と同様に、図３及び図４に示した表示パネルの入力端子１８に結合する出力端子９１Ｂ、ピン挿入孔１９に挿入する左右一対のガイドピン９１Ｃ、ロック孔２０に挿入する左右一対の掛金９１Ｄ、及びロック操作孔２１に挿入するピン９１Ｅが設けられる。又、図２２において、９１Ｆは図２１の締付ネジ９３をねじ込むためのネジ孔である。
【００５１】
尚、出力端子９１Ｂには信号線１００の一端が接続される。又、ピン９１Ｅはベース台９１の表面に設けられる切替レバー９１Ｇの操作により作動して表示パネル１のロック及びロック解除を行うことができる。この構成に限らず、差込口９１Ａには少なくとも出力端子９１Ｂが設けられていればよく、これにより機器本体２から信号線１００を通じて送信されるビジュアル信号を表示パネル１に入力して映像表示を行うことができる。
【００５２】
そして、以上のようなパネル装着台９０によれば、車両の後部座席に居ながら機器本体２で駆動されるディスクの記録情報（例えばＤＶＤに記録された映画）やテレビ放送を鑑賞することができる。テレビ放送を受信するには図２５のようにテレビアンテナ１０１やこれに接続するテレビチューナ１０２などを車両に搭載し、そのチューナ１０２と機器本体２をコントローラ１０３を介して接続し、その出力信号（ビジュアル信号）が機器本体２からパネル連結部６やパネル装着台９０に入力されるようにすればよい。尚、コントローラ１０３は車両のバッテリ１０４や図示せぬスピーカにも接続されるが、そのコントローラ１０３やテレビチューナ１０２などを機器本体２に内蔵することもできる。
【００５３】
以上、本発明の表示パネルとその使用例ならびに対応する機器類について説明したが、係る表示パネルは上記のようなパネル連結部６やパネル装着台９０のような構造の機器さえあれば、車外での利用も可能となる。又、表示パネルはその表示面をタッチパネル方式とすることもできる。
【図面の簡単な説明】
【００５４】
【図１】本発明に係る表示パネルの使用態様を示す説明図
【図２】表示パネルの表面側を示す斜視図
【図３】表示パネルの裏面側を示す斜視図
【図４】表示パネルの底面図
【図５】表示パネルの内部構造を示す斜視図
【図６】表示パネルに内蔵されるロック機構を示す説明図
【図７】ロック機構の作動状態を示す説明図
【図８】筺体の正面概略図
【図９】図８のＸ−Ｘ断面図
【図１０】図８のＹ−Ｙ断面図
【図１１】パネル連結部から表示パネルを離脱した状態を示す平面図
【図１２】走行ユニットの裏側を示す斜視図
【図１３】パネル連結部を省略した走行ユニットの表側を示す斜視図
【図１４】走行機構を示す説明図
【図１５】パネル旋回機構を示す説明図
【図１６】施錠具の斜視図
【図１７】欠歯ギアの斜視図
【図１８】施錠具と欠歯ギアの組図
【図１９】本発明の表示パネルを利用可能なパネル装着台を示す斜視図
【図２０】パネル装着台を構成するベース台の斜視図
【図２１】ベース台に表示パネルを装着した状態を示す正面図
【図２２】ベース台の内部構造を示す透視図
【図２３】本発明に係る表示パネルの使用例を示す車両の透視図
【符号の説明】
【００５５】
１  表示パネル
１Ａ  操作部
１Ｂ  結合部
１１  画像表示素子
１１Ａ  表示面
１２  外枠
１２Ａ  窓部
１７  受口
１８  入力端子
１９  ピン挿入孔
２０  ロック孔
２１  ロック操作孔
２２  ロック機構
２３  スライド板
２５  トリガーレバー
２６  掛爪
６１  外部の出力端子
６２  ガイドピン
６３  掛金
６４  施錠具
６４Ａ  ロックアーム
９０  パネル装着台
９１Ｂ  外部の出力端子
【図１】
2005195985.tif 000003
【図２】
2005195985.tif 000004
【図３】
2005195985.tif 000005
【図４】
2005195985.tif 000006
【図５】
2005195985.tif 000007
【図６】
2005195985.tif 000008
【図７】
2005195985.tif 000009
【図８】
2005195985.tif 000010
【図９】
2005195985.tif 000011
【図１０】
2005195985.tif 000012
【図１１】
2005195985.tif 000013
【図１２】
2005195985.tif 000014
【図１３】
2005195985.tif 000015
【図１４】
2005195985.tif 000016
【図１５】
2005195985.tif 000017
【図１６】
2005195985.tif 000018
【図１７】
2005195985.tif 000019
【図１８】
2005195985.tif 000020
【図１９】
2005195985.tif 000021
【図２０】
2005195985.tif 000022
【図２１】
2005195985.tif 000023
【図２２】
2005195985.tif 000024
【図２３】
2005195985.tif 000025